(57)【要約】本発明は、大型で重い単一の構成要素から成る従来の真空包装機と異なり、本体部（１）とヘッド部（２）とに分割されるように構成され、これにより、平坦な状態が満たされている限り、場所に関係なく、本体部（１）を移動させずに、ヘッド部（２）を使用して真空包装作業を都合良く行なうことができる携帯型真空包装機に関する。
2004527422.tif 000002
【特許請求の範囲】
【請求項１】
内部に真空ポンプが配置されるとともに、その上面に持ち運び用の取手が形成された本体部と、
前記本体部に電気的に接続されるとともに、上側カバー部と下側基礎構造部とを有するヘッド部と、
を備え、
前記上側カバー部の上面には移動用取手が形成され、前記移動用取手の両側には一対の操作スイッチおよび一対の表示ランプがそれぞれ設けられ、前記移動用取手の一方側には圧力ゲージが設けられ、前記下側基礎構造部の下面には真空チャンバが形成され、前記下側基礎構造部の下面にはその縁部に隣接してパッキンが設けられ、接続チューブを介して前記本体部と前記真空チャンバとを互いに連通させる吸気孔およびゲージ取付穴が前記下側基礎構造部に形成され、前記下側基礎構造部の下面には、前記真空チャンバの一方側に、熱融着部が形成されている携帯型真空包装機。
【請求項２】
前記ヘッド部の前記上側カバー部の側面には、真空圧作用時間を設定するためのタイマーと、真空圧を調整するための調整部とが設けられている請求項１に記載の携帯型真空包装機。
【請求項３】
前記下側基礎構造部の下面には、前記真空チャンバの前側および後側に、一対の熱融着部が形成されている請求項１に記載の携帯型真空包装機。
【発明の詳細な説明】
【技術分野】
【０００１】
本発明は、携帯型真空包装機に係わり、特に、大型で重い単一の構成要素から成る従来の真空包装機と異なり、本体部とヘッド部とに分割されるように構成され、これにより、平坦な状態が満たされている限り、場所に関係なく、本体部を移動させずに、ヘッド部を使用して真空包装作業を都合良く行なうことができる携帯型真空包装機に関する。
【背景技術】
【０００２】
一般に、包装される物品を処理するための真空チャンバを有するタイプの真空包装機は、本体を有している。この本体は、その上端が開口する矩形の箱状を成している。前記真空チャンバは前記本体に形成されている。本体の上端にはカバーが設けられており、このカバーによって前記真空チャンバを開閉できるようになっている。真空圧を形成するための真空ポンプ、真空ポンプに関連する構成要素、既に真空圧が作用するビニールパッケージの入口を熱融着によってシールするシール装置は、前記カバーが接続された前記本体に設けられている。また、真空包装機には、前記真空チャンバ内の現在の真空圧をユーザが肉眼で確認できるようにする圧力ゲージ等の部品と、前記真空ポンプの作動を制御するためのＯＮ／ＯＦＦスイッチと、前記真空ポンプの作動状態等を表示するための表示ランプとが取り付けられている。
【０００３】
しかしながら、上記構成の従来の真空包装機には、以下のような欠点がある。すなわち、従来の真空包装機は大型で重量がある単一の構成要素から成るため、その可動性が悪化せざるを得ない。また、その結果、固定された位置で真空包装作業が行なわれるため、厄介で且つ不便であるだけでなく、効率が悪く、生産性が低下する。更に、従来の真空包装機は高価であるため、コストに関してユーザに重い負担を課すことになる。
【発明の開示】
【発明が解決しようとする課題】
【０００４】
したがって、本発明は、関連技術において生じる問題を解決するために成されたものであり、その目的とするところは、本体部とヘッド部とに分割されるように構成され、これにより、平坦な状態が満たされている限り、場所に関係なく、前記本体部を移動させずに、前記ヘッド部を使用して真空包装作業を行なうことができる携帯型真空包装機を提供することにある。
【課題を解決するための手段】
【０００５】
前記目的を達成するため、本発明の一態様においては、内部に真空ポンプが配置されるとともに、その上面に持ち運び用の取手が形成された本体部と、前記本体部に電気的に接続されるとともに、上側カバー部と下側基礎構造部とを有するヘッド部とを備え、前記上側カバー部の上面には移動用取手が形成され、前記移動用取手の両側には一対の操作スイッチおよび一対の表示ランプがそれぞれ設けられ、前記移動用取手の一方側には圧力ゲージが設けられ、前記下側基礎構造部の下面には真空チャンバが形成され、前記下側基礎構造部の下面にはその縁部に隣接してパッキンが設けられ、接続チューブを介して前記本体部と前記真空チャンバとを互いに連通させる吸気孔およびゲージ取付穴が前記下側基礎構造部に形成され、前記下側基礎構造部の下面には、前記真空チャンバの一方側に、熱融着部が形成されている携帯型真空包装機が提供される。
【０００６】
本発明の他の態様において、前記ヘッド部の前記上側カバー部の側面には、真空圧作用時間を設定するためのタイマーと、真空圧を調整するための調整部とが設けられている。
【０００７】
本発明の更に他の態様において、前記下側基礎構造部の下面には、前記真空チャンバの前側および後側に、一対の熱融着部が形成されている。
【０００８】
本発明の前述した目的、他の特徴、利点は、添付図面を参照しつつ、以下の詳細な説明を読めば、更に明らかとなる。
【発明を実施するための最良の形態】
【０００９】
以下、本発明の好ましい実施形態について詳細に説明する。その一例が添付図面に示されている。可能であればいつでも、同一または類似の部品については、図面および明細書本文の全体にわたって、同一の参照符号が使用されている。
【００１０】
図１は、本発明の一実施形態に係る携帯型真空包装機の全体構成を示す斜視図である。
【００１１】
図１に示されるように、本発明に係る携帯型真空包装機は、本体部１と、ヘッド部２とに分割されるように構成されている。本体部１内には、外部電源からの供給電力によって作動して真空圧を形成する真空ポンプ（図示せず）が配置されている。ヘッド部２は、真空ポンプの作動によって形成される吸引力を使用してビニールパッケージ（図示せず）から空気を完全に抜き出すことによりビニールパッケージを真空圧状態下に維持するとともに、熱融着によってビニールパッケージの入口をシールするべく機能する。本体部１およびヘッド部２は、可撓性の接続チューブ２９によって互いに電気的に接続されており、これにより、ヘッド部２は、本体部１に対して自由に移動することができる。本体部１の上面には、持ち運び用の取手１１が形成されており、本体部１を簡単に持ち運ぶことができるようになっている。また、ヘッド部２の上面には移動用取手２３が形成されており、ヘッド部２を簡単に移動させることができるようになっている。ここで、内部に通気路が形成されるビニール包装材料がビニールパッケージとして使用される。
【００１２】
図２Ａから図２Ｄは、本発明に係る携帯型真空包装機を構成するヘッド部を示している。
【００１３】
ヘッド部の斜視図である図２Ａに示されるように、ヘッド部２は、長尺な矩形状を成しており、上側カバー部２１と下側基礎構造部２２とによって構成されている。上側カバー部２１の上面には移動用取手２３が形成されている。本体部１の真空ポンプの作動をＯＮ／ＯＦＦするために押すことができる一対の操作スイッチ２４，２４Ａはそれぞれ、移動用取手２３の両側に配置されている。また、移動用取手２３の両側で且つ一対の操作スイッチ２４，２４Ａの前側には、一対の表示ランプ２５，２５Ａがそれぞれ設けられており、これにより、ユーザは、一対の表示ランプ２５，２５Ａの点滅により、真空ポンプの作動状態を肉眼で確認することができる。また、上側カバー部２１の上面の一方側には、後述する真空チャンバ３０内の現在の真空圧を示すための圧力ゲージ２６が配置されている。
【００１４】
ヘッド部の下側分解斜視図である図２Ｂに示されるように、ヘッド部２の下側基礎構造部２２は、ブロック形状を成している。真空チャンバ３０は、下側基礎構造部２２の下面の中央部の溝によって形成されている。下側基礎構造部２２の下面には、真空チャンバ３０の周囲に、パッキン溝２７が形成されている。このパッキン溝２７内には、ゴム製のパッキン２８が嵌め付けられており、これにより、真空包装作業を行なう際に真空チャンバ３０を気密に閉塞できるようになっている。真空チャンバ３０を画定する底面には吸気孔３１が形成されており、これにより、本体部１内に形成される真空圧に伴う吸引力を、吸気孔３１を通じて真空チャンバ３０内に作用させることができるようになっている。また、真空チャンバ３０を画定する底面には、吸気孔３１の一方側に、ゲージ取付穴３２が形成されている。更に、下側基礎構造部２２の下面には、真空チャンバ３０の前端（図では、後端として示されている）に隣接して熱融着部３３が形成されており、これにより、電力供給時にビニールパッケージの入口をシールできるようになっている。
【００１５】
それぞれがヘッド部の平面図および側面図である図２Ｃおよび図２Ｄに示されるように、ヘッド部２の上側カバー部２１の上面には、移動用取手２３が形成されている。本体部１の真空ポンプの作動をＯＮ／ＯＦＦするために押すことができる一対の操作スイッチ２４，２４Ａはそれぞれ、移動用取手２３の両側に配置されている。また、移動用取手２３の両側で且つ一対の操作スイッチ２４，２４Ａの前側には、一対の表示ランプ２５，２５Ａがそれぞれ設けられている。また、移動用取手２３の一方側には、真空チャンバ３０内の現在の真空圧を示すための圧力ゲージ２６が配置されている。ヘッド部２の上側カバー部２１の側面には、本体部１の真空ポンプの作動時間を所望の時間に設定するためのタイマー３４と、真空ポンプの真空圧に伴う吸引力を調整するための圧力調整部３５とが設けられている。前述したように、図の参照符号２８はパッキンを示しており、また、参照符号３３は熱融着部を示している。
【００１６】
図３は、ヘッド部の内部構造を示す断面図である。
【００１７】
図３に示されるように、ヘッド部２は、上側カバー部２１と下側基礎構造部２２とによって構成されている。上側カバー部２１および下側基礎構造部２２は、組み付けられて、ネジ等の固定手段によって互いに連結される。移動用取手２３の両側には、一対の操作スイッチ２４，２４Ａがそれぞれ設けられている。移動用取手２３の一方側には、真空チャンバ３０内の現在の真空圧を示すための圧力ゲージ２６が配置されている。また、ヘッド部２の上側カバー部２１の側面には、タイマー３４および圧力調整部３５が設けられている。
【００１８】
また、真空チャンバ３０は、下側基礎構造部２２の下面の中央部の溝によって形成されている。真空チャンバ３０の周囲のパッキン溝２７内には、パッキン２８が嵌め付けられている。下側基礎構造部２２の下面には、真空チャンバ３０の前端に隣接して熱融着部３３が形成されている。真空チャンバ３０を画定する底面には吸気孔３１が形成されており、吸気孔３１は、可撓性の接続チューブ２９を介して、本体部１と真空チャンバ３０とを互いに連通させる。また、真空チャンバ３０を画定する底面には、吸気孔３１の一方側に、ゲージ取付穴３２が形成されている。
【００１９】
次に、上記構成の本発明に係る携帯型真空包装機の操作手順および作用について詳しく説明する。
【００２０】
まず、当業者であれば簡単に分かるように、真空包装作業は、平坦な面上で行なわれる。すなわち、長期間保存される食品を平坦な面上でビニールパッケージ内に収容した後、ビニールパッケージの入口がヘッド部２の真空チャンバ３０内に位置決めされるように、ヘッド部２をビニールパッケージ上に置く。
【００２１】
この状態で、ヘッド部２の第１の操作スイッチ２４を押すと、作動命令信号によって本体部１の真空ポンプが作動し、これにより、内部に真空圧が形成される。これによって、可撓性の接続チューブ２９を介して本体部１と接続される吸気孔３１に吸引力が作用する。これに伴って、ビニールパッケージ内に存在する空気が入口を通じてビニールパッケージから完全に吐き出されると、ビニールパッケージの内部が真空状態下に維持される。その後直ちに、熱融着部３３に電力が供給されると、ビニールパッケージの入口が熱融着によってシールされ、これにより、真空包装処理が完了する。
【００２２】
一方、当業者であれば容易に分かるように、熱融着部３３は、ヘッド部２の真空チャンバ３０の前端および後端に隣接して形成されても良く、あるいは、真空チャンバ３０の前端、後端、左端、右端を含む４つの端部に隣接して形成されても良い。また、多くのヘッド部２を１つの本体部１に接続して、複数のユーザが同時に真空包装作業を行なえるようにすることもできる。
【産業上の利用可能性】
【００２３】
以上のように、本発明に係る携帯型真空包装機によれば、以下のような利点が得られる。すなわち、携帯型真空包装機は、真空圧を形成するための本体部と、真空圧を使用して包装作業を行なうヘッド部とに分割できるように構成されており、また、操作ＯＮ／ＯＦＦスイッチ等の真空包装作業に関連する構成がヘッド部に取り付けられているため、平坦な状態が満たされている限り、場所に関係なく、本体部を移動させずに、ヘッド部を使用して真空包装作業を都合良く行なうことができる。
【００２４】
また、これにより、真空包装作業を都合良く効率的に行なうことができるだけでなく、生産性を向上させることもできる。
【００２５】
更に、真空包装機の構造が簡単であるため、製造コストを低減することができ、これにより、コストに関してユーザに重い負担を課さなくて済む。
【図面の簡単な説明】
【００２６】
【図１】本発明の一実施形態に係る携帯型真空包装機の全体構成を示す斜視図である。
【図２Ａ】本発明に係る携帯型真空包装機を構成するヘッド部を示す斜視図である。
【図２Ｂ】本発明に係る携帯型真空包装機を構成するヘッド部を示す下側分解斜視図である。
【図２Ｃ】本発明に係る携帯型真空包装機を構成するヘッド部を示す平面図である。
【図２Ｄ】本発明に係る携帯型真空包装機を構成するヘッド部を示す側面図である。
【図３】ヘッド部の内部構造を示す断面図である。
【国際公開パンフレット】
2004527422.tif 000003
2004527422.tif 000004
2004527422.tif 000005
2004527422.tif 000006
2004527422.tif 000007
2004527422.tif 000008
2004527422.tif 000009
2004527422.tif 000010
2004527422.tif 000011
2004527422.tif 000012
2004527422.tif 000013
2004527422.tif 000014
2004527422.tif 000015
2004527422.tif 000016
2004527422.tif 000017
【国際調査報告】
2004527422.tif 000018
2004527422.tif 000019